(57)【要約】      （修正有）【課題】外観は伝統的な築地塀と同じでコストを削減できる築地塀の施工方法を提供する。【解決手段】塀本体１の外面２の最下段に支持材３１を取り付け、支持材３１の上に緩衝材４１を載置し、瓦部材５１の後縁部５１ａに接着剤６１を塗布して緩衝材４１の上に乗せ、接着剤６１にて最下段の瓦部材５１を塀本体１の外面２に接着し、接着された最下段の瓦部材５１の上に下から２段目の支持材３２を載置し、その上に２段目の緩衝材４２を載置し、２段目の瓦部材５２の後縁部５２ａに接着剤を塗布して２段目の緩衝材４２に乗せ、接着剤を介して塀本体１の外面２に接着し、３段目以降同じ手順を繰り返して最上段の瓦部材まで順次接着し、瓦部材５が塀本体１の外面２に固着されたところで、緩衝材４と支持材３とを取り外し、瓦部材５の間にて塀本体１の外面２に充填材を塗着する。【選択図】図１１
2014169611.tif 000002
【特許請求の範囲】
【請求項１】
塀本体の外面の最下段に水平に支持材を取り付け、支持材の上に緩衝材を載置し、瓦部材の後縁部に接着剤を塗布して最下段の緩衝材の上に乗せ、接着剤を介して最下段の瓦部材の後縁部を塀本体の外面に接着し、
続いて、接着された最下段の瓦部材の上に下から２段目の支持材を塀本体の外面に沿って載置し、その上に２段目の緩衝材を載置し、
２段目の瓦部材の後縁部に接着剤を塗布して２段目の緩衝材の上に乗せ、接着剤を介して２段目の瓦部材の後縁部を塀本体１の外面に接着し、
３段目以降同じ手順を繰り返して最上段の瓦部材まで順次接着し、
瓦部材が塀本体の外面に固着されたところで、緩衝材と支持材とを取り外し、
瓦部材の間にて塀本体の外面に充填材を塗着することを特徴とする築地塀の施工方法。
【請求項２】
充填材の外面に化粧材を塗着することを特徴とする請求項１に記載の築地塀の施工方法。
【請求項３】
緩衝材と塀本体の外面との間に隙間を設けることを特徴とする請求項１又は２に記載の築地塀の施工方法。
【発明の詳細な説明】
【技術分野】
【０００１】
本発明は、寺院等の塀に多く用いられる築地塀の施工方法に関するものである。
【背景技術】
【０００２】
従来から古都の寺院や旧家等の塀には、例えば油と荒木田土などの土とを混ぜ、これを熨斗瓦と交互に積み上げ、最上部に屋根瓦を取り付け、熨斗瓦の間に化粧層としての漆喰を塗着する築地塀の一種がよく用いられている。
【０００３】
しかしながら、この築地塀は土を積み上げ、乾燥させながらその間に熨斗瓦を敷き込んでゆくという昔ながらの工法が用いられているため手間が掛かり、熟練技能者を必要とする。そこで、特許文献１に示すように、特殊な形状をした熨斗瓦専用の保持部材を用いる簡便な施工方法が提案された。
【先行技術文献】
【特許文献】
【０００４】
【特許文献１】特許３４３１５６６
【０００５】
この方法は、コンクリート釘を使い、塀本体の外面に所定の間隔を開けて前述の特殊な形状の保持部材を複数段にわたって取り付け、これらの保持部材間に外装材を充填し、続いて熨斗瓦の前縁部が前記塀本体に対し外方に突出するように取り付けて前記熨斗瓦の後縁部を前記保持部材に固定し、最後に保持部材間にモルタルを充填し、更にその表面に必要に応じて漆喰等の化粧層を塗布して、保持部材の前端面と面一に仕上げる、というものである。
【発明の概要】
【発明が解決しようとする課題】
【０００６】
特許文献１に記載の方法は、伝統的な築地塀の施工方法に比べて、相当に簡素化され且つコスト的にも優れた方法であると言えるが、特殊な形状の保持部材を必要とすること、保持部材を一定の間隔で塀本体に釘止めしていかなければならず、なお、改善の余地が残されていた。
【０００７】
本発明の目的は、外観は伝統的な築地塀と全く変わることなく、しかも前述の改良された築地塀の施工方法をさらに簡素化するとともにコストと施工時間を削減することができる新たな築地塀の施工方法を提供することにある。
【課題を解決するための手段】
【０００８】
請求項１に記載の本発明の築地塀Ａの施工方法は、
塀本体１の外面２の最下段に水平に支持材３１を取り付け、支持材３１の上に緩衝材４１を載置し、瓦部材５１の後縁部５１ａに接着剤６１を塗布して最下段の緩衝材４１の上に乗せ、接着剤６１を介して最下段の瓦部材５１の後縁部５１ａを塀本体１の外面２に接着し、
続いて、接着された最下段の瓦部材５１の上に下から２段目の支持材３２を塀本体１の外面２に沿って載置し、その上に２段目の緩衝材４２を載置し、
２段目の瓦部材５２の後縁部５２ａに接着剤６２を塗布して２段目の緩衝材４２の上に乗せ、接着剤６２を介して２段目の瓦部材５２の後縁部５２ａを塀本体１の外面２に接着し、
３段目以降同じ手順を繰り返して最上段の瓦部材５ｎまで順次接着し、
瓦部材５が塀本体１の外面２に固着されたところで、緩衝材４と支持材３とを取り外し、
瓦部材５の間にて塀本体１の外面２に充填材７を塗着することを特徴とする。
【０００９】
請求項２に記載の本発明の築地塀の施工方法は、充填材７の外面に化粧材８を塗着することを特徴とする。
【００１０】
請求項３に記載の本発明の築地塀の施工方法は、緩衝材４と塀本体１の外面２との間に隙間９を設けることを特徴とする。
【発明の効果】
【００１１】
本発明では、最下段の支持材３１を塀本体１の外面２に水平に取り付けさえすれば、後は順番に緩衝材４１、瓦部材５１の接着、２段目の支持材３２の載置という作業を最上段まで繰り返して行い、瓦部材５の接着が完了したところで支持材３と緩衝材４とを取り除き、取り除いた部分にモルタルのような充填材７を塗着すること、さらには充填材７の外面に漆喰又はペイントのような化粧材８を塗着することで完了するものであり、従来例のような、熨斗瓦を保持するための特殊な形状の保持部材などを必要とせず、施工が非常に簡単であるだけでなく、コスト的にも非常に優れている。なお、緩衝材４と塀本体１の外面２との間に隙間９を設けておけば、接着剤６が垂れてきても緩衝材４や支持材３が外面２に接着されることがなく、取り外しをスムーズに行える。
【図面の簡単な説明】
【００１２】
【図１】本発明の築地塀の施工途中の斜視図である。
【図２】塀本体に最下段の支持材を取り付けた状態の断面図である。
【図３】図２の最下段の支持材の上に緩衝材を載置した状態の断面図である。
【図４】図３の最下段の緩衝材の上に瓦部材を載置し、塀本体の外面に接着した状態の断面図である。
【図５】図４の瓦部材の上に支持材を載置した状態の断面図である。
【図６】塀本体に最上段の瓦部材を取り付けた状態の断面図である。
【図７】図６から支持材と緩衝材を取り外した状態の断面図である。
【図８】図７の状態から充填材を塀本体の外面に塗着した状態の断面図である。
【図９】図８において、塀本体の頂部に屋根瓦と丸瓦を施工した状態の断面図である。
【図１０】本発明に掛かる築地塀の完成状態の断面図である。
【図１１】本発明において、最下段部分の施工状態の拡大断面図である。
【発明を実施するための形態】
【００１３】
以下、本発明を図示の実施例に基づいて詳細に説明する。塀本体１は、図１に示すように、基礎１０及び該基礎１０上に鉄筋コンクリートやコンクリートブロック積み等により必要な高さ及び厚みに構築された構築物である。塀本体１の両面（外面２）は略垂直な面となっている。以下の説明において、支持材、緩衝材、瓦部材、後縁部、接着剤を上位概念で示す場合は、最初の符号で示し、下位概念で示す場合は、２番目以降の符号で区別する。例えば、支持材の上位概念は３で示すが、その下位概念である最下段の支持材は３１から３ｎで表される。
【００１４】
瓦部材５は、築地塀Ａに用いられる熨斗瓦が一般的であるが、勿論、これに限られず築地塀Ａに用いられるような瓦であれば、どのようなものも適用可能である。瓦部材５の出幅は支持材３の出幅より大きい。
【００１５】
支持材３は、長尺の木質角材で、その上に緩衝材４を載置しても緩衝材４が脱落しないだけの大きさを持つ。支持材３の断面は正方形に限られず、勿論、長方形のようなものであってもよいことを言うまでもない。通常は野縁材のようなものが使用される。
【００１６】
緩衝材４は、例えば新聞紙や段ボールのようなものが使われる。本発明の場合では厚みのある段ボールが好ましい。勿論、これらに限られず支持材３と瓦部材５との間にある程度の間隙を形成できるものであればよい。
【００１７】
充填材７は、本発明の場合ではモルタルが使用される。また、化粧材８としては、築地塀Ａを表現するために漆喰が使用される。勿論、漆喰に代えて単なるペイントでもよい。
【００１８】
しかして、まず、塀本体１の略垂直面の外面２の最下段（基礎１０または最下段のブロック）に支持材３１をコンクリート釘２０にて塀本体１の全長に亙って固定する（図２参照）。この最下段の支持材３１の上に緩衝材４１を載置する（図３参照）。緩衝材４１は図１１から分かるように、緩衝材４１の前端は支持材３１の外側に出るようにし、後端は塀本体１の外面２との間に隙間９ができるように載置される。段ボールを使用すればこの上に載置される瓦部材５１と支持材３１との間に前述のようにある程度の間隙が形成される。
【００１９】
緩衝材４１の載置が終了すると、図４に示すように瓦部材５１を緩衝材４１の上に順番に乗せていくことになるが、これに先立って瓦部材５１の少なくとも接着面となる後縁部５１ａを清浄にしておく（図１１参照）。清浄にされた後縁部５１ａに接着剤６１を塗布し、緩衝材４１の上に単に載置し、最下段の瓦部材５１の後縁部５１ａを塀本体１の外面２に接着する。この場合、接着剤６１が垂れる場合があるが、前記隙間９により緩衝材４１に付着せず、緩衝材４１が外面２に接着することはない。同様に、支持材３１まで垂れ込むこともなく、支持材３１が外面２に接着してしまうようなこともない。この意味で、緩衝材４にはある程度の厚みがあることが好ましい。
【００２０】
最下段の瓦部材５１の接着が終了すると、図５に示すようにその上に２段目の支持材３２を、塀本体１と固定させることなく順次塀本体１に沿って当接させつつ或いは近接状態で載置する。２段目より上の支持材３１〜３ｎは施工効率を高めるため最下段の支持材３１の長さの１／２程度とするのが好ましい。なお、支持材３は施工中の反りを避けるために濡らさないことが重要である。
【００２１】
２段目の支持材３２の載置が終了すれば、前述同様、２段目の緩衝材４２をその上に載置し、載置が終われば２段目の瓦部材５２を接着することになる。そして、３段目以降同じ手順を繰り返して最上段の瓦部材５ｎまで順次接着する（図６参照）。最上段の瓦部材５ｎの接着が終了すると、少なくとも１日程度の養生期間を設け、接着剤６が十分に固まったところで緩衝材４と支持材３とを取り外す（図７参照）。
【００２２】
続いて、瓦部材５の間、及び最下段の瓦部材５１の下側（基礎１０部分）、最上段の瓦部材５ｎより上の部分に、例えば、モルタルのような充填材７を塗着する（図８参照）。さらに図９に示すように塀本体１の頂面に山形に下地モルタル１５を形成し、その上に屋外側と屋内側に振り分けて屋根瓦１４を下地モルタル１５の上に傾斜させて並べ、最後に内外の屋根瓦１４の取り合いにモルタルのような充填材１６を盛り、丸瓦１３を敷設する。そして、充填材７が乾くとその上に漆喰あるいはペイントのような化粧材８を塗着する（図１０参照）。
【００２３】
なお、塀本体１の室内側の外面２にも充填材１１及びその上に漆喰あるいはペイントのような化粧材１２を塗着する。
【符号の説明】
【００２４】
Ａ：築地塀、１：塀本体、２：外面、３（３１〜３ｎ）：支持材、４（４１〜４ｎ）：緩衝材、５（５１〜５ｎ）：瓦部材、５１ａ〜５ｎａ：後縁部、６（６１〜６ｎ）：接着剤、７：充填材、８：化粧材、９：隙間、１０：基礎、１１：屋内側の充填材、１２：屋内側の化粧材、２０：コンクリート釘。
【図１】
2014169611.tif 000003
【図２】
2014169611.tif 000004
【図３】
2014169611.tif 000005
【図４】
2014169611.tif 000006
【図５】
2014169611.tif 000007
【図６】
2014169611.tif 000008
【図７】
2014169611.tif 000009
【図８】
2014169611.tif 000010
【図９】
2014169611.tif 000011
【図１０】
2014169611.tif 000012
【図１１】
2014169611.tif 000013